(57)【要約】【課題】  高速または大容量エレベータ等に使用される大型のソケットにおいても、楔及びロープ末端部の交換作業を容易に行うことができて、かつ必要な押圧力が治具のサイズに比例しないコンパクトな楔式ロープ留め装置用治具を得ること。【解決手段】  楔６及び楔６に巻かれたロープ７末端部が挿入される通し穴と、ロープ７末端部の一部が露出する開口部とが設けられたソケット５を着脱可能に保持する台座１と、外部から受けた力を楔６及びロープ７末端部に伝達するベルト９と、ベルト９の一端に設けられ、外部の力を受けたとき、ベルト９の一端を一側に保持するパイプ１０と、台座１に設けられ、パイプ１０を着脱可能に保持するピン１３ａと、外部の力を受けてベルト９の他端を巻き取るプーリ１１と、台座１に設けられ、プーリ１１を着脱可能に保持するピン１３ｂと、を設けた。【選択図】      図１
2013018631.tif 000002
【特許請求の範囲】
【請求項１】
楔及び前記楔に巻かれたロープ末端部が挿入される通し穴と、
ロープ末端部の一部が露出する開口部とが設けられたソケットを着脱可能に保持する台座と、 
外部から受けた力を楔及びロープ末端部に伝達する押圧力伝達部材と、
前記押圧力伝達部材の一端に設けられ、外部の力を受けたとき、前記押圧力伝達部材の一端を一側に保持する保持具と、
前記台座に設けられ、前記保持具を着脱可能に保持する第一の取付部と、
外部の力を受けて前記押圧力伝達部材の他端を巻き取る巻取り手段と、
前記台座に設けられ、前記巻取り手段を着脱可能に保持する第二の取付部と、
を備えたことを特徴とする楔式ロープ留め装置用治具。 
【請求項２】
前記ソケットが前記台座に保持された状態で、前記押圧力伝達部材の一端が前記保持具により前記第一の取付部に保持され、かつ前記押圧力伝達部材の他端が前記第二の取付部に保持された前記巻取り手段に巻き取られることにより、前記楔または前記ロープ末端部に巻き掛けられているときの前記押圧力伝達部材は、前記通し穴に挿入する方向及び前記通し穴への挿入が外れる方向のいずれかへ前記楔及び前記ロープ末端部に押圧力を与えることを特徴とする請求項１に記載の楔式ロープ留め装置用治具。
【請求項３】
前記押圧力伝達部材を前記通し穴または前記開口部へ挿入するとき、前記押圧力伝達部材の一端を保持しながら前記押圧力伝達部材の一端と共に前記通し穴または前記開口部へ挿入され、前記押圧力伝達部材を案内しながら前記ソケットの内部に前記押圧力伝達部材を貫通させる押圧力伝達部材通し用器具を備えたことを特徴とする請求項１または請求項２に記載の楔式ロープ留め装置用治具。
【発明の詳細な説明】
【技術分野】
【０００１】
本発明は、例えばエレベータなどのロープ末端部をソケットに接続するための楔式ロープ留め装置に関するものである。
【背景技術】
【０００２】
従来、楔式ロープ留め装置用治具は、ソケットに着脱可能な支持体と、支持体に設けられた支点軸を中心に回動可能な回動レバーとを有している。回動レバーは、支点軸に取り付けられるレバー本体と、レバー本体の端部に取り付けられる円柱状の押圧ピン（押圧部）とを有している。レバー本体は、棒状の持ち手部（加重部）と、持ち手部の端部から分岐して互いに対向する一対の分岐部とを有している。押圧ピン及び持ち手部は、支点軸を中心とする回動レバーの回動により互いに逆方向へ変位される（例えば、特許文献１参照）。
【０００３】
【特許文献１】特開２０１０−２１６５１９号公報
【発明の開示】
【発明が解決しようとする課題】
【０００４】
高速または大容量エレベータ等に使用されるロープの場合、ロープ自体の径が大きくなるので、ソケットも大型化する。すなわち、ロープ自体の径が大きくなると、回動レバーに必要な押圧力も比例して大きくなる。そのため、上記従来の楔式ロープ留め装置用治具にあっては、この押圧力を大きくするため、てこの原理で作用する回動レバーを大型化する必要がある。しかしながら、回動レバーが大型化すると、作業性が悪くなったり、作業スペースを広くしなければならないという問題があった。さらに、回動レバーが大型化すると、治具自体のコストが高くなったり、保管場所を広くしなければならないという問題もあった。
【０００５】
この発明は、上述のような課題を解決するためになされたもので、その目的は、高速または大容量エレベータ等に使用される大型のソケットにおいても、楔及びロープ末端部の交換作業を容易に行うことができて、かつ必要な押圧力が治具のサイズに比例しないコンパクトな楔式ロープ留め装置用治具を提供するものである。
【課題を解決するための手段】
【０００６】
この発明にかかる楔式ロープ留め装置用治具は、楔及び楔に巻かれたロープ末端部が挿入される通し穴と、ロープ末端部の一部が露出する開口部とが設けられたソケットを着脱可能に保持する台座と、外部から受けた力を楔及びロープ末端部に伝達する押圧力伝達部材と、押圧力伝達部材の一端に設けられ、外部の力を受けたとき、押圧力伝達部材の一端を一側に保持する保持具と、台座に設けられ、保持具を着脱可能に保持する第一の取付部と、外部の力を受けて押圧力伝達部材の他端を巻き取る巻取り手段と、台座に設けられ、巻取り手段を着脱可能に保持する第二の取付部と、を設けて構成したものである。
【発明の効果】
【０００７】
この発明は、楔式ロープ留め装置用治具に、外部の力を押圧力伝達部材が受けたとき、押圧力伝達部材を巻き取る巻き取り手段により外部の力を伝達するようにしたので、高速または大容量エレベータ等に使用される大型のソケットにおいても、コンパクトな楔式ロープ留め装置用治具を実現できる。
【発明を実施するための最良の形態】
【０００８】
実施の形態１．
図１は楔式ロープ留め装置用治具の全体構成を示す斜視図である。図２は図１のソケットを台座に取り付けた後の斜視図であり、図３〜４は図１の要部を示す拡大図である。図５〜８はソケットにロープが取り付けられる場合を示す図である。図５はソケット内部のロープ末端部と楔材との位置関係を示す斜視図であり、図６は図５の側面図であり、図７は図６のＡ−Ａ平面断面図であり、ロープ末端部と楔材とがソケットに押し込まれる前の状態を示す。図８は図６のＡ−Ａ平面断面図であり、ロープ末端部と楔材とがソケットに押し込まれた後の状態を示す。図９〜１２はソケットからロープが取り外される場合を示す図であり、図９はソケット内部のロープ末端部と楔材との位置関係を示す斜視図であり、図１０は図９の平面側面図であり、図１１は図１０のＢ−Ｂ平面断面図であり、ロープ末端部と楔材とがソケットから取り外される前の状態を示す。図１２は図１０のＢ−Ｂ断面図であり、ロープ末端部と楔材とがソケットから取り外された後の状態を示す。
【０００９】
図において、楔式ロープ留め装置用治具の台座１は、長手方向がソケット５の長手方向よりも若干長い程度に形成され、長手方向の中間にベース部２と、長手方向の一端にロープ側保持部３と、他端にロッド側保持部４とが設けられている。ベース部２とロープ側保持部３とロッド側保持部４とは、外部の力を受けても容易に変形しない程度の強度を持った材料で構成される。台座１は、これら３つの部材が所定の接続部材や溶接等により１つの形状に連結されるか、または一体成形されており、外部の力を受けても容易に変形しない程度の剛性が確保されている。
【００１０】
ソケット５には、一端にロープ７の末端部が挿入される通し穴であるロープ通し穴と、中間部にはロープ７の末端部の一部が露出する開口部とが設けられている。ロープ７の末端部は、このロープ通し穴からソケット５の内部に挿入され、ソケット５の内部に楔材６とロープ７の末端部とが共に納められ、ソケット５とロープ７とが接続されている。
【００１１】
また、ベース部２の上面には、ソケット５が接触する外形部に合う形状が形成されている。すなわち、ベース部２の上面形状とソケット５が接触する外形部の形状とを合わせることで、ソケット５が接触する外形部がフラットでない場合、例えば、凸凹や段差形状であっても、ソケット５をベース部２の上面に安定して保持することができる。
【００１２】
ロープ側保持部３にはロープ７を通すスリット３ａが設けられ、ロッド側保持部４にはロッド８を通すスリット４ａが設けられる。スリット３ａの幅は、ロープ７の外径より大きく、ソケット５が有するロープ通し穴の端面部外径より小さく設定されている。スリット４ａの幅は、ロッド８の外径より大きく、ソケット５が有するロッド通し穴の端面部外形より小さく設定されている。
【００１３】
これにより、台座１のベース部２の上面にソケット５を嵌め込んで取り付けたとき、楔材６及び楔材６に巻かれたロープ７の末端部が挿入されるソケット５のロープ通し穴の端面部と、ロープ側保持部３のベース部２側の端面とが当接する。また、ロッド８が挿入されるソケット５のロッド通し穴の端面部と、ロッド側保持部４のベース部２側の端面とが当接することで、ソケット５は長手方向の両側をロープ側保持部３と、ロッド側保持部４とに挟まれて、水平方向の動きが制限される。一方で、このとき、ロープ７とロッド８は各々スリット３ａ、３ａに通されているのでその動きは制限されない。また、台座１のベース部２の上面にソケット５を嵌め込んで取り付けたとき、水平方向の動きは制限されるが、垂直方向の動きは制限されないので、台座１とソケット５とは容易に着脱が可能である
【００１４】
ベルト９は、外部から受けた力をソケット５に挿入された楔材６及びロープ７の末端部に伝達する押圧力伝達部材である。ベルト９の一端には、外部の力を受けたとき、この一端を一側に保持する保持具であるパイプ１０が取り付けられている。ベルト９の他端には、外部の力を受けてベルト９の他端を巻き取る巻取り手段であるプーリ１１が取り付けられている。パイプ１０とプーリ１１とは、いずれも長手方向に中空部が形成された円柱形状で構成され、プーリ１１は、外部から受けた力を受けてプーリ１１を回転させるための六角部１２を有している。プーリ１１に取り付けられたベルト９の他端は、外部の力を受けて六角部１２を回転させることで、プーリ１１に巻き取られるようになっている。また，ベルト９の一端にパイプ１０を取り付ける代わりに，ベルト９の一端を輪状にして構成してもよい。
【００１５】
また、ロープ側保持部３のベース部２と反対側には、ベルト９の一端に設けられたパイプ１０を着脱可能に保持する第一の取付部であるピン１３ａと、ベルト９の他端に設けられたプーリ１１を着脱可能に保持する第二の取付部であるピン１３ｂとが設けられている。ロッド側保持部４のベース部２と反対側にも、同じように第一の取付部であるピン１４ａと、第二の取付部であるピン１４ｂとが設けられている。
【００１６】
ピン１３ａとピン１４ａとは、上部からパイプ１０の中空部を嵌め込んで保持し、かつ上部へ引き抜いて取り外すことができるように円柱形状に構成されている。また、ピン１３ｂとピン１４ｂとは、上部からプーリ１１の中空部を嵌め込んで、回動自在に保持し、かつ上部へ引き抜いて取り外すことができるように円柱形状に構成されている。なお、ピン１３ａとピン１４ａとは、パイプ１０を保持し、かつ取り外すことができるような角柱形などにしても良い。また、ピン１３ｂとピン１４ｂとは、プーリ１１を回動自在に保持し、かつ取り外すことができるような角柱形などにしても良い。角柱型の場合は、角柱自体が回動自在に動作するような回転機構を備えるようにする。
【００１７】
ベルト９のパイプ１０が設けられた一端は、ソケット５のロープ通し穴または開口部からソケット５の内部に挿入され、内部に納められた楔材６の端部またはロープ７の末端部の所定の部分に巻き掛けられて、ソケット５に挿入された側と同じロープ通し穴または開口部からソケット５の外側に引き出される。外側に引き出されたベルト９の一端のパイプ１０は、ピン１３ａまたは１４ａに嵌め込まれ、他端のプーリ１１は、ピン１３ｂまたは１４ｂに嵌め込まれて、各々保持された状態において、外部の力を受けてプーリ１１の六角部１２を回転させると、プーリ１１に取り付けられたベルト９の他端がプーリ１１に巻き取られる。
【００１８】
このとき、ベルト９は、外部から受けた力をソケット５の内部に納められた楔材６またはロープ７の末端部の所定の部分に伝達する。そのため、ベルト９は、外部から受けた力と楔材６またはロープ７の末端部の所定の部分から受ける反力に対して、一定の長さ以上には変形せずに、容易に破断されない強度と、自在に曲げられる柔軟性との両方の性質を兼ね備えている素材で構成されている。例えば、エレベータ用ロープに使われる樹脂素材や金属で編み込まれたベルト等で構成しても良い。
【００１９】
次に、この発明の動作について、ロープ７がソケット５に取り付けられる場合と、ソケット５から取り外される場合とに分けて説明する。ロープ７がソケット５に取り付けられる場合は、まず、図５〜８において楔材６と楔材６に巻かれたロープ７末端部とが圧接されていない状態、すなわち仮取り付けの状態でソケット５に取り付けられている。次に、ベルト９のパイプ１０が設けられた一端をソケット５のロープ通し穴のすき間から差し込んで、ソケット５の内部に挿入する。
【００２０】
ソケット５の内部に挿入されたベルト９の一端は、ソケット５の長手方向にロープ７の末端部側面の一側に沿って通されて、ソケット５の開口部にいったん引き出され、ソケット５の開口部から一部が露出しているロープ７の末端部に巻き掛けられて、再び、開口部からソケット５の内部へ挿入される。ソケット５の内部に再び挿入されたベルト９の一端は、ソケット５の長手方向にロープ７の末端部側面の他側に沿って通されて、ソケット５の内部のロープ通し穴から外側へ引き出される。
【００２１】
次に、ベルト９のパイプ１０が設けられた一端は、ピン１３ａに嵌め込まれ、ベルト９のプーリ１１が設けられた他端は、ピン１３ｂに嵌め込まれる。この状態で、プーリ１１の六角部１２を外部から受けた力で回転させて、ベルト９の一端をプーリ１１に巻き取らせていく。ベルト９の一端のパイプ１０はピン１３ａに固定されているので、ベルト９の他端がプーリ１１に巻き取られることで、ベルト９の長手方向の長さが次第に短くなる。
【００２２】
ベルト９の長手方向の長さが次第に短くなるにつれて、ベルト９が当接しているロープ７の末端部がソケット５のロープ通し穴側へ付勢されるため、楔材６と楔材６に巻かれたロープ７の末端部とがソケット５の内部へ次第に引き込まれていく。更にベルト９がプーリ１１に巻き取られると、楔材６と楔材６に巻かれたロープ７の末端部とがソケット５のロープ通し穴側内部の所定の位置まで押し込まれる。これにより楔材６と楔材６に巻かれたロープ７の末端部とがソケット５の内部で圧接されることで固定されて、ロープ７がソケット５に取り付けられる。
【００２３】
次に、ロープ７がソケット５に取り外される場合は、まず、図１０〜１３においてソケット５に楔材６とロープ７末端部とが圧接された状態、すなわち取り付け完了の状態で取り付けられている。次に、ベルト９のパイプ１０が設けられた一端をソケット５の開口部のすき間から差し込んで、ソケット５の内部に挿入する。
【００２４】
ソケット５の内部に挿入されたベルト９の一端は、ソケット５の長手方向にロープ７の末端部側面の一側に沿って通されて、ソケット５のロープ通し穴側にいったん引き出され、ソケット５のロープ通し穴側から一部が露出している楔材６の端部に巻き掛けられて、再び、ソケット５の内部へ挿入される。ソケット５の内部に再び挿入されたベルト９の一端は、ソケット５の長手方向にロープ７の末端部側面の他側に沿って通されて、ソケット５の開口部から外側へ引き出される。
【００２５】
次に、ベルト９のパイプ１０が設けられた一端は、ピン１４ａに嵌め込まれ、ベルト９のプーリ１１が設けられた他端は、ピン１４ｂに嵌め込まれる。この状態で、プーリ１１の六角部１２を外部から受けた力で回転させて、ベルト９の一端をプーリ１１に巻き取らせていく。ベルト９の一端のパイプ１０はピン１４ａに固定されているので、ベルト９の他端がプーリ１１に巻き取られることで、ベルト９の長手方向の長さが次第に短くなる。
【００２６】
ベルト９の長手方向の長さが次第に短くなるにつれて、ベルト９が当接している楔材６の端部がソケット５の開口部側へ付勢されていくため、楔材６と楔材６に巻かれたロープ７の末端部とがソケット５の開口部へ次第に引き出されていく。更にベルト９がプーリ１１に巻き取られると、楔材６と楔材６に巻かれたロープ７の末端部とがソケット５の開口部の所定の位置まで引き出される。これにより楔材６と楔材６に巻かれたロープ７の末端部との圧接状態が緩和されることで固定が解除されて、ロープ７がソケット５から取り外される。
【００２７】
上記のように構成したので、楔材６及び楔材６に巻かれたロープ７末端部が挿入されるロープ通し穴と開口部とが設けられたソケット５を着脱可能に保持する台座１と、外部から受けた力を楔材６及びロープ７末端部に伝達するベルト９と、ベルト９の一端に設けられ、外部の力を受けたとき、ベルト９の一端を一側に保持するパイプ１０と、台座１に設けられ、パイプ１０を着脱可能に保持するピン１３ａまたはピン１４ａと、外部の力を受けてベルト９の他端を巻き取るプーリ１１と、台座１に設けられ、プーリ１１を着脱可能に保持するピン１３ｂまたは１４ｂと、を備えることにより、てこの原理を作用させることなく、プーリ１１を回転させてベルト９がプーリ１１に巻き取られることで、ベルト９が外部の力を伝達するため、高速または大容量エレベータ等に使用される大型のソケットにおいても、楔材６及びロープ７末端部の交換作業を容易に行うことができて、かつ必要な押圧力が治具のサイズに比例しないコンパクトな楔式ロープ留め装置用治具を提供することができる。
【００２８】
また、上記のように構成したので、ソケット５が台座１に保持された状態で、ベルト９の一端がパイプ１０によりピン１３ａまたは１４ａに保持され、かつベルト９の他端がピン１３ｂまたは１４ｂに保持されたプーリ１１に巻き取られることにより、楔材６またはロープ７末端部に巻き掛けられているときのベルト９は、ロープ通し穴に挿入する方向及びロープ通し穴への挿入が外れる方向のいずれかへ楔材６及びロープ７末端部に押圧力を与えることができる。
【００２９】
実施の形態２．
図１３〜図１５は、この発明の実施の形態２に係るベルト通し用器具を配置して構成した楔式ロープ留め装置用治具を示す断面図である。図１３は、この発明の実施の形態２に係るベルト通し用器具にベルトを配置して構成した楔式ロープ留め装置用治具の要部構成を示す斜視図である。図１４は、図７の楔式ロープ留め装置用治具にこの発明の実施の形態２に係るベルト通し用器具を配置した平面断面図であり、図１５は、図１１の楔式ロープ留め装置用治具にこの発明の実施の形態２に係るベルト通し用器具を配した平面断面図である。この発明の実施の形態２に係る楔式ロープ留め装置用治具は、実施の形態１に係るベルト９の端部に取り付けられ、ソケット５のロープ通し穴または開口部にベルト９と共に挿入されるベルト通し用器具１５を備えていることが異なり、それ以外は同様であるので、同様な部分に同じ記号を付記し説明を省略する。
【００３０】
図において、押圧力伝達部材通し用器具であるベルト通し用器具１５は、長手方向がソケット５のロープ通し穴から開口部までの長さよりも長く設定され、幅はベルト９の幅よりも太くなるように設定されている。ベルト通し用器具１５の一端には、ベルト９のパイプ１０が設けられている端部を挟み込んで一時的に保持したり、この保持を解除可能にするスリット部が設けられている。ベルト通し用器具１５の厚さは、なるべく薄い方が望ましいが、少なくとも、ベルト９の端部を保持しながらソケット５に挿入され、ベルト９を案内しながらソケット５の内部にベルト９を貫通させるために必要な強度と柔軟性が確保されるように設定される。ベルト通し用器具１５は、例えば、合成ゴムやエラストマー樹脂などで構成しても良い。
【００３１】
次に、この発明の動作について説明する。ロープ７がソケット５に取り付けられる場合と、ソケット５から取り外される場合とにおいて、ベルト９をソケット５のロープ通し穴または開口部へ挿入するとき、ベルト通し用器具１５のスリット部に、ベルト９のパイプ１０が設けられている端部を挟み込んで一時的に保持させる。
【００３２】
次に、ベルト通し用器具１５の一端をソケット５のロープ通し穴または開口部のすき間から内部にベルト９を保持したままの状態で挿入させる。一端がソケット５に挿入され、ソケット５から露出しているベルト通し用器具１５の他端を、ソケット５の内部側へと更に押し込んでいく。ベルト通し用器具１５の一端は、挿入されたロープ通し穴から、これと反対側にある開口部まで、または挿入された開口部から、これと反対側にあるロープ通し穴まで押し込むことにより、ベルト通し用器具１５をソケット５の内部に貫通させて、ベルト９の端部とベルト通し用器具１５とは共に外側へ引き出される。ベルト通し用器具１５と共に引き出されたベルト９の端部は、ベルト通し用器具１５のスリット部から取り外される。
【００３３】
すなわち、ロープ７がソケット５に取り付けられる場合と、ソケット５から取り外される場合とにおいて、ベルト９をソケット５の内部に通すためにベルト通し用器具１５を用いること以外の動作は実施の形態１と同じである。
【００３４】
上記のように構成したので、ベルト９をロープ通し穴または開口部へ挿入するとき、ベルト９の一端を保持しながらベルト９の一端と共にロープ通し穴または開口部へ挿入され、ベルト９を案内しながらソケット５の内部にベルト９を貫通させるベルト通し用器具１５を備えることにより、例えば、ベルト９が柔らかく、ベルト９だけではソケット５の内部に引っかかって貫通させ難い場合であっても、ベルト９をソケット５の内部に容易に通すことができる。
【図面の簡単な説明】
【００３５】
【図１】実施の形態１における楔式ロープ留め装置用治具の全体構成を示す斜視図である。
【図２】この発明の実施の形態１における図１のソケットを台座に取り付けた後の斜視図である。
【図３】この発明の実施の形態１における図１の要部を示すベルトの一端にパイプを配した斜視図である。
【図４】この発明の実施の形態１における図１の要部を示すベルトの一端にプーリを配した斜視図である。
【図５】この発明の実施の形態１におけるソケット内部のロープ末端部と楔材との位置関係を示す斜視図である。
【図６】この発明の実施の形態１における図５の側面図である。
【図７】この発明の実施の形態１におけるロープ末端部と楔材とがソケットに取り付られる前の状態を示す図６の平面断面図である。
【図８】この発明の実施の形態１におけるロープ末端部と楔材とがソケットに取り付られた後の状態を示す図６の平面断面図である。
【図９】この発明の実施の形態１におけるソケット内部のロープ末端部と楔材との位置関係を示す斜視図である。
【図１０】この発明の実施の形態１における図１０の側面図である。
【図１１】この発明の実施の形態１におけるロープ末端部と楔材とがソケットから取り外される前の状態を示す図１０の平面断面図である。
【図１２】この発明の実施の形態１におけるロープ末端部と楔材とがソケットから取り外された後の状態を示す図１０の平面断面図である。
【図１３】この発明の実施の形態２におけるベルト通し用器具にベルトを配置して構成した楔式ロープ留め装置用治具の要部構成を示す斜視図である。
【図１４】この発明の実施の形態２における図７の楔式ロープ留め装置用治具にベルト通し用器具を配置した平面断面図である。
【図１５】この発明の実施の形態２における図１１の楔式ロープ留め装置用治具にベルト通し用器具を配置した平面断面図である。
【符号の説明】
【００３６】
１  台座、２  ベース部、３  ロープ側保持部、４  ロッド側保持部、５  ソケット、６  楔材、７  ロープ、８  ロッド、９  ベルト、１０  パイプ、１１  プーリ、１２  六角部、１３ａ  ピン、１３ｂ  ピン、１４ａ  ピン、１４ｂ  ピン、１５  ベルト通し用器具
【産業上の利用可能性】
【００３７】
本発明は、エレベータなどのロープ末端部をソケットに接続するための楔式ロープ留め装置に適用できる。
【図１】
2013018631.tif 000003
【図２】
2013018631.tif 000004
【図３】
2013018631.tif 000005
【図４】
2013018631.tif 000006
【図５】
2013018631.tif 000007
【図６】
2013018631.tif 000008
【図７】
2013018631.tif 000009
【図８】
2013018631.tif 000010
【図９】
2013018631.tif 000011
【図１０】
2013018631.tif 000012
【図１１】
2013018631.tif 000013
【図１２】
2013018631.tif 000014
【図１３】
2013018631.tif 000015
【図１４】
2013018631.tif 000016
【図１５】
2013018631.tif 000017